(57)【要約】  【課題】  位置決め部材は磁束効果を有する材質からなり、ファンホイールローターの磁石に対して下への吸引力を生じることができるため、ファンホイールローターが回転時において脱出するのを防止することができ、そしてファンホイールローターが静止時において位置決め部材によってファンホイールローターの磁石が最良な起動の角度に停止するように吸引することができると共に、起動の死点に落し入れるのを防止することができるため、起動時における電気消耗のパワーを低減することができる。  【解決手段】  框体４０の内部の基座４３においてファンホイールローター５０を配置し、基座４３において軸管４４以外の位置には少なくとも二個以上の位置決め部材４８が設けられ、そして二個以上の位置決め部材４８は磁束効果を有する材質からなるように構成されている。【選択図】    図１
2007267579.tif 000002
【特許請求の範囲】
【請求項１】
ファンホイールローター（５０）、回路板（４６）および框体（４０）により構成される薄型の放熱構造であって、ファンホイールローター（５０）の外周には複数個のはね（５１）が延伸され、ファンホイールローター（５０）の内盤面には磁石（５３）が設けられ、そして中央には回転軸（５２）が固定され、回路板（４６）の上には磁石（５３）に対応するようにコイル（４７）が形成され、框体（４０）の内部の収容空間（４１）には回路板（４６）を配置して固定するための基座（４３）が形成され、基座（４３）の中央には軸管（４４）が突出するように設けられ、軸管（４４）の内には軸受（４５）が置き入れられ、軸受（４５）はファンホイールローター（５０）の回転軸（５２）を収容して回転するように支持するのに用いられ、基座（４３）がファンホイールローター（５０）に対応する側面において軸管（４４）以外の位置には少なくとも二個以上の位置決め部材（４８、４８）が設けられ、位置決め部材（４８、４８）は磁束効果を有する材質からなることを特徴とする薄型の放熱構造。
【請求項２】
基座（４３）の上において二個の位置決め部材（４８、４８）を設置することができると共に、二個の位置決め部材（４８、４８）は半径方向に対応して位置するように形成されることを特徴とする請求項１記載の薄型の放熱構造。
【請求項３】
基座（４３）の上において三個の位置決め部材（４９、４９、４９）を設置することができると共に、三個の位置決め部材（４９、４９、４９）は同一の円周上においてかつ同じ間隔をもって設置するように形成されることを特徴とする請求項１記載の薄型の放熱構造。
【請求項４】
収容空間（４１）の一方には風排出口が設けられ、さらに框体（４０）の上方には他に蓋板（４２）が設けられ、そして蓋板（４２）がファンホイールローター（５０）に対応する位置には風送入口（４２１）が設けられることを特徴とする請求項１記載の薄型の放熱構造。
【発明の詳細な説明】
【技術分野】
【０００１】
本発明は、薄型の放熱構造に関するもので、特に磁性を利用してファンホイールローターが静止時において最良な起動の角度に位置するように吸引することにより、電気消耗のパワーを低減することができる薄型の放熱構造に係るものである。
【背景技術】
【０００２】
集積回路のレイアウトは日増しに精密化され、複雑になりつつあるが、消費者が製品の外形に対する趣味は軽、薄、短、小を好み勝ちであり、特に精緻化を好む個人用の３Ｃ電子製品に対して言えば、その内部の放熱構造の薄型化が求められるのは必然的である。
【０００３】
従来の薄型の放熱構造において、框、ステータ部材とローター部材が含まれる。上記框の内部には基板が設けられ、上記基板の中央に柱管が形成され、上記柱管は軸管が挿入するのに用いられ、さらに上記軸管の中央の孔は上記ローター部材のはねが回転するのを支持することができる。上記ステータ部材には回路板、シリコン鋼片とコイルが含まれ、上記回路板は上記基板の上に結合され、さらに上記回路板には他に粘着剤によってリング状のコイルとシリコン鋼片が粘着し固定される。上記ローター部材のはねの内盤面には磁石が固定され、そして上記はねの中央には軸が設けられ、上記軸は上記軸管の中央の孔を貫穿することができる。上記回路板そのものにはＩＣ制御単元が結合され、さらに電源が導入されて磁場が生じることにより、上記はねの磁石とは面の誘導による起動が形成されるため、上記ローター部材が回転するのを駆動することができるようにとしたものがある（例えば、特許文献１を参照）。
【特許文献１】中華民国出願番号第８４２０９５７７号
【発明の開示】
【発明が解決しようとする課題】
【０００４】
上記のような従来の薄型の放熱構造においては、放熱構造の全体の肉厚を大幅に縮減することができるが、上記のような従来の構造の回路板においては粘着剤による粘着の方式でコイルとシリコン鋼片を固定しなければならないため、上記コイルとシリコン鋼片が重なった全体的な肉厚が制限されてしまうという問題点があった。もし、放熱構造をさらに小型化にして薄型化の電子製品の需要性に符合したい場合、上述したコイルとシリコン鋼片による全体的な肉厚では放熱構造の肉厚の小型化に対しては適応できないという問題点があった。このように、上記のような従来の薄型の放熱構造をさらに改良しなければならない。
【０００５】
本発明はこのような問題点に鑑みて発明したものであって、その目的とするところは、框体の内部の基座においてファンホイールローターを配置し、基座において軸管以外の位置には少なくとも二個以上の位置決め部材が設けられ、位置決め部材は磁束効果を有する材質からなり、ファンホイールローターの磁石に対して下への吸引力を生じることができるため、ファンホイールローターが回転時において脱出するのを防止することができ、そしてファンホイールローターが静止時においてファンホイールローターが最良な起動の角度に停止するように吸引することができると共に、起動の死点に落し入れるのを防止することができるため、起動時における電気消耗のパワーを低減することができる薄型の放熱構造を提供しようとするものである。
【０００６】
本発明の第一の目的は、位置決め部材がファンホイールローターの磁石に対して下への吸引力を生じることができるため、ファンホイールローターが回転時において脱出するのを防止することができ、そしてファンホイールローターが静止時においてファンホイールローターが最良な起動の角度に停止するように吸引することができると共に、起動の死点に落し入れるのを防止することができるため、起動時における電気消耗のパワーを低減することができる薄型の放熱構造を提供しようとするものである。
【課題を解決するための手段】
【０００７】
上記目的を達成するために、本発明による薄型の放熱構造は、下記のようになるものである。すなわち、
ファンホイールローター、回路板および框体により構成される。ファンホイールローターの外周には複数個のはねが延伸され、ファンホイールローターの内盤面には磁石が設けられ、そして中央には回転軸が固定される。回路板の上には磁石に対応するようにコイルが形成される。框体の内部の収容空間には回路板を配置して固定するための基座が形成され、基座の中央には軸管が突出するように設けられ、軸管の内には軸受が置き入れられ、軸受はファンホイールローターの回転軸を収容して回転するように支持するのに用いられ、基座がファンホイールローターに対応する側面において軸管以外の位置には少なくとも二個以上の位置決め部材が設けられ、位置決め部材は磁束効果を有する材質からなる。
【０００８】
本発明による薄型の放熱構造は、基座の上において二個の位置決め部材を設置することができると共に、二個の位置決め部材は半径方向に対応して位置するように形成されることもできる。また、基座の上において三個の位置決め部材を設置することができると共に、三個の位置決め部材は同一の円周上においてかつ同じ間隔をもって設置するように形成されることもできる。また、収容空間の一方には風排出口が設けられ、さらに框体の上方には他に蓋板が設けられ、そして蓋板がファンホイールローターに対応する位置には風送入口が設けられることもできる。
【発明の効果】
【０００９】
本発明の薄型の放熱構造によれば、位置決め部材がファンホイールローターの磁石に対して下への吸引力を生じることができるため、ファンホイールローターが回転時において脱出するのを防止することができ、そしてファンホイールローターが静止時においてファンホイールローターが最良な起動の角度に停止するように吸引することができると共に、起動の死点に落し入れるのを防止することができるため、起動時における電気消耗のパワーを低減することができるという利点がある。
【発明を実施するための最良の形態】
【００１０】
本発明は薄型の放熱構造に関するもので、特に基座において軸管以外の位置には少なくとも二個以上の位置決め部材が設けられ、磁束効果を有する材質からなる位置決め部材がファンホイールローターの磁石に対して下への吸引力を生じることができるため、ファンホイールローターが回転時において脱出するのを防止することができ、そしてファンホイールローターが静止時において最良な起動の角度に位置させることができると共に、起動の死点に落し入れるのを防止することができるため、起動時における電気消耗のパワーを低減することができるものに関するものであり、本発明の実施の形態について、以下、図面を参照して説明する。
【実施例１】
【００１１】
図１を参照すると、本発明の実施例１の薄型の放熱構造による分解斜視図において、本発明の薄型の放熱構造には框体４０が含まれ、框体４０の内部には収容空間４１が形成され、収容空間４１の中にファンホイールローター５０を配置することができ、框体４０の上方には他に蓋板４２が設けられ、蓋板４２においてファンホイールローター５０に対応する位置には風送入口４２１が設けられるため、ファンホイールローター５０が回転時においてファンホイールローター５０の周縁から延伸された複数個のはね５１は気流を導引して風送入口４２１から吸入することができ、そして再び収容空間４１の一方の風排出口から排出することにより、電子発熱部材の放熱を提供することができる。
【００１２】
再び図２を参照すると、収容空間４１の底部はファンホイールローター５０の基座４３を装設するのに用いられ、基座４３の上方には回路板４６とコイル４７が設けられ、そして基座４３の中央位置には軸管４４が突出するように設けられ、軸管４４の内部には軸受４５が置き入れられるため、ファンホイールローター５０の中央の回転軸５２は軸受４５の中央の軸孔を貫穿することができ、さらに上記軸孔によって支持される。回路板４６そのものにはＩＣ制御単元が結合され、さらに電源が導入されて磁場が生じることにより、ファンホイールローター５０の磁石５３とは誘導による起動が形成されるため、ファンホイールローター５０が回転するのを駆動することができる。
【００１３】
さらに図３を参照すると、基座４３がファンホイールローター５０に対応する側面において、軸管４４以外の位置には少なくとも二個の位置決め部材４８、４８（図３においては二個）が設けられ、二個の位置決め部材４８、４８は磁束効果を有する材質（例えば鉄金属である）からなると共に、半径方向に対応して位置するように形成されるため、位置決め部材４８とファンホイールローター５０の磁石５３が下への吸引力を生じた時、ファンホイールローター５０が回転する動作によって平衡を失ってしまうことはない。
【００１４】
このように、位置決め部材４８とファンホイールローター５０の磁石５３が生じた下への吸引力により、ファンホイールローター５０が回転時において脱出するのを防止することができ、そしてファンホイールローター５０が静止時において位置決め部材４８によってファンホイールローター５０の磁石５３が最良な起動の角度に停止するように吸引することができると同時に、起動の死点に落し入れるのを防止することができるため、起動時における電気消耗のパワーを低減することができる。
【実施例２】
【００１５】
図４を参照すると、本発明の実施例２の薄型の放熱構造による組み立てられた状態の平面図において、基座４３において軸管４４以外の位置には三個の位置決め部材４９、４９、４９が設けられる。実施例２において設置された三個の位置決め部材４９も同様に磁束効果を材質からなり、そして三個の位置決め部材４９は同一の円周上において等間隔で位置するように形成されるため、位置決め部材４９とファンホイールローター５０の磁石５３が下への吸引力を生じた時、ファンホイールローター５０が回転する動作によって平衡を失ってしまうことはない。
【産業上の利用可能性】
【００１６】
上述の如く、本発明の薄型の放熱構造によれば、ファンホイールローターが回転時において脱出するのを防止することができ、そしてファンホイールローターが静止時において位置決め部材によってファンホイールローターの磁石が最良な起動の角度に停止するように吸引することができると共に、起動の死点に落し入れるのを防止することができる。また、少なくとも二個以上の位置決め部材が設けられることにより、基座そのものの構造の強度と安定性に影響を及ぼすことがないため、軸管が変形したり断裂したりするのを避けることができる。
【００１７】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００１８】
【図１】本発明の実施例１の薄型の放熱構造の分解斜視図である。
【図２】本発明の実施例１の薄型の放熱構造による組み立てられた状態を示す断面図である。
【図３】本発明の実施例１の薄型の放熱構造による組み立てられた状態を示す平面図である。
【図４】本発明の実施例２の薄型の放熱構造による組み立てられた状態を示す平面図である。
【符号の説明】
【００１９】
４０    框体                        ４１    収容空間
４２    蓋板                      ４２１    風送入口
４３    基板                        ４４    軸管
４５    軸受                        ４６    回路板
４７    コイル                      ４８    位置決め部材
４９    位置決め部材                ５０    ファンホイールローター
５１    はね                        ５２    回転軸
５３    磁石
【図１】
2007267579.tif 000003
【図２】
2007267579.tif 000004
【図３】
2007267579.tif 000005
【図４】
2007267579.tif 000006